(57)【要約】【課題】円盤状照明器具等の物品を箱に容易に挿入でき、包装した物品を衝撃から保護できるようにする。【解決手段】緩衝材Ｐにおいて、底板１の隅部に、箱Ｂへの挿入方向に対し傾斜した山折線１ａを介して隅当板２を連設し、隅当板２同士を、帯状の保持片３を介して繋ぎ、保持片３の中間部に谷折線３ａを入れ、保持片３と底板１の間に隙間を設け、底板１に照明器具Ｌを沿わせて、箱Ｂの開口縁に隅当板２を当接させつつ、箱Ｂに挿入すると、底板１から隅当板２が立ち上がり、保持片３が内側へ折れ曲がって、照明器具Ｌの側部が保持片３と底板１との隙間に嵌り込み、保持片３で照明器具Ｌが抑えられるようにする。箱Ｂを傾けた状態で、照明器具Ｌを斜め上方から箱Ｂに挿入する際、緩衝材Ｐからの照明器具Ｌの脱落が防止され、平置き状態での照明器具Ｌのセードの跳ね上がりも阻止される。【選択図】図５
2011006091.tif 000002
【特許請求の範囲】
【請求項１】
底板(1)の隅部に、箱への挿入方向に対し傾斜した山折線(1a)を介して隅当板(2)を連設し、隅当板(2)同士を、帯状の保持片(3)を介して繋ぎ、保持片(3)の中間部に谷折線(3a)を入れ、保持片(3)と底板(1)の間に隙間を設け、底板(1)に物品を沿わせて、箱の開口縁に隅当板(2)を当接させつつ、箱に挿入すると、底板(1)から隅当板(2)が立ち上がり、保持片(3)が内側へ折れ曲がって、物品の側部が保持片(3)と底板(1)との隙間に嵌り込み、保持片(3)で物品が抑えられるようにした包装用緩衝材。
【請求項２】
請求項１に記載の包装用緩衝材において、底板(1)を切り起こして、物品に係合する器具固定片(4)を形成したことを特徴とする包装用緩衝材。
【請求項３】
請求項１又は２に記載の包装用緩衝材において、底板(1)と隅当板(2)との境界部に、切目に挟まれた緩衝片(5)を設け、この緩衝片(5)を内側へ押し込んで、緩衝片(5)により物品の外周部を受け止めることを特徴とする包装用緩衝材。
【発明の詳細な説明】
【技術分野】
【０００１】
この発明は、円盤状照明器具等の物品を箱詰めして包装する際、物品と共に箱内に収納し、物品を衝撃から保護する包装用緩衝材に関するものである。
【背景技術】
【０００２】
従来、シーリングライト等の円盤状照明器具を包装する形態として、下記特許文献１には、図７に示すように、天面開閉式の箱５０に、そのフラップ５１を開けて天面を開放した状態で、一対の緩衝材５２を挿入し、この緩衝材５２により、照明器具Ｌを保持して、フラップ５１を閉じるものが記載されている。
【０００３】
この緩衝材５２は、照明器具Ｌの本体を支持する筒状部５３に、上方へ延びる立上板５４を連設し、その両側に翼片５５を連設して、照明器具Ｌのセードの外周を立上板５４及び翼片５５に沿わせるものである。
【０００４】
また、箱の天面の強度を考慮して、側面に開閉用のフラップを有する箱を使用し、その側面が斜め上方へ向くように箱を傾けた状態で、フラップを開けて照明器具を箱に滑り込ませるように挿入する包装形態も考えられている。
【先行技術文献】
【特許文献】
【０００５】
【特許文献１】特許第３２４７３２３号公報
【発明の概要】
【発明が解決しようとする課題】
【０００６】
しかしながら、側面開閉式の箱を使用する場合、従来のような緩衝材を使用すると、箱への挿入作業時に、照明器具と緩衝材とが分離してしまうことがあり、作業性がよくないという問題がある。
【０００７】
また、このように照明器具を包装した箱を、平置き状態で輸送する際、箱内でセードが跳ね上がって、がたつきが生じ、セードが傷付くおそれもある。
【０００８】
そこで、この発明は、円盤状照明器具等の物品を箱に容易に挿入でき、包装した物品を衝撃から保護できるようにすることを課題とする。
【課題を解決するための手段】
【０００９】
上記課題を解決するため、この発明は、底板の隅部に、箱への挿入方向に対し傾斜した山折線を介して隅当板を連設し、隅当板同士を、帯状の保持片を介して繋ぎ、保持片の中間部に谷折線を入れ、保持片と底板の間に隙間を設け、底板に物品を沿わせて、箱の開口縁に隅当板を当接させつつ、箱に挿入すると、底板から隅当板が立ち上がり、保持片が内側へ折れ曲がって、物品の側部が保持片と底板との隙間に嵌り込み、保持片で物品が抑えられるようにしたのである。
【００１０】
また、上記包装用緩衝材において、底板を切り起こして、物品に係合する器具固定片を形成し、緩衝材に物品が固定されるようにしたのである。
【００１１】
さらに、底板と隅当板との境界部に、切目に挟まれた緩衝片を設け、この緩衝片を内側へ押し込んで、緩衝片により物品の外周部を受け止めるようにしたのである。
【発明の効果】
【００１２】
この発明に係る緩衝材を使用して照明器具を包装すると、箱を傾けた状態で、照明器具を斜め上方から箱に挿入する際、照明器具が隅当板及び保持片で保持され、器具固定片で固定されているので、人手で支えておかなくても、緩衝材からの照明器具の脱落が防止され、包装作業を容易に行なうことができる。
【００１３】
また、箱を平置きにした状態で輸送する際、包装した照明器具は、周囲が隅当板に当接して、緩衝片で受け止められ、上方から保持片により抑えられるので、セードの跳ね上がりが阻止され、箱が内側から保持片で補強されて、セードの損傷が防止される。
【００１４】
さらに、箱を傾けた状態で、照明器具を箱から取り出す際にも、照明器具が保持片及び器具固定片で保持されているので、緩衝材からの照明器具の脱落が防止され、取出作業を容易に行うことができる。
【図面の簡単な説明】
【００１５】
【図１】この発明に係る包装用緩衝材による包装状態を示す斜視図
【図２】同上の緩衝材のブランクを示す図
【図３】同上の緩衝材による照明器具の包装の初期過程を示す斜視図
【図４】同上の器具固定片の起立状態を示す拡大斜視図
【図５】同上の緩衝材の箱への挿入過程を示す斜視図
【図６】同上の緩衝材の箱への挿入状態を示す斜視図
【図７】従来の照明器具の包装形態を示す斜視図
【発明を実施するための形態】
【００１６】
以下、この発明の実施の形態を添付図面に基づいて説明する。
【００１７】
図１に示すように、この緩衝材Ｐは、円盤状照明器具Ｌを箱Ｂに収納して包装する際に使用するものであり、図２に示すような段ボールのブランクから形成される。この図中、破線で示す山折線は段ボールの一面に、実線で示す谷折線は段ボールの他面に、それぞれ押罫として入れられ、山折線と谷折線とは異なる方向へ折れ曲がり易くなっている。
【００１８】
図２に示すブランクでは、正八角形状の底板１の隅部各辺に、箱Ｂへの挿入方向に対し４５°の角度をなす山折線１ａを介して隅当板２が連設され、各側の隅当板２同士は、帯状の保持片３を介して繋がれている。隅当板２の外側縁は、底板１の端縁の延長線上に延び、隅当板２の先端縁は、山折線１ａに平行している。
【００１９】
保持片３の中間部には、谷折線３ａが入れられ、保持片３と底板１との間には、隙間が設けられている。保持片３の隅当板２との境界部には、方向を問わず折れ曲がりを容易にするため、断続的に切目を入れたリード罫から成る折目線３ｂ，３ｃが外広がりＶ字状に入れられている。
【００２０】
底板１の中央部には、両側に段が付けられた変形コ字状に切込を入れて、器具固定片４が形成され、器具固定片４には、基端に山折線４ａが、中間部に谷折線４ｂが入れられると共に、先端部に先折部４ｃが連設されている。また先折部４ｃの基部に切込を入れて、係止片４ｄが形成されている。
【００２１】
底板１と各隅当板２との境界部には、それぞれ２本の切目間に緩衝片５が形成され、緩衝片５の両端には山折線５ａが、中間部には山折線１ａより内側に谷折線５ｂが入れられている。また、底板１の両端部には、取手穴６が形成され、取手穴６の周縁部には、折り曲げて指当たりを柔らかくする指当片６ａが設けられている。
【００２２】
このようなブランクから成る緩衝材Ｐを用いて、照明器具Ｌを包装する際には、まず、図３に示すように、緩衝材Ｐの底板１に、上下反転した照明器具Ｌを載せる。
【００２３】
また、これに先立って、緩衝材Ｐのブランクでは、図４に示すように、器具固定片４を山折線４ａ及び谷折線４ｂでの折り曲げにより起立させ、先折部４ｃの折り曲げに伴い、係止片４ｄを突出させて、その両端部を器具固定片４の抜出穴の両側に形成された段部１ｂに係合させることにより、器具固定片４の起立状態を維持しておく。
【００２４】
そして、照明器具Ｌの器具本体Ｍを、その中央部の取付穴に器具固定片４を係合させることにより、底板１に対して固定し、器具本体ＭにセードＳを被せる。
【００２５】
その後、図５及び図６に示すように、側面にフラップＦを有する箱Ｂを、その側面が斜め上方へ向くように傾けた状態で、フラップＦを開き、照明器具Ｌと共に緩衝材Ｐを箱Ｂに滑り込ませるように挿入する。
【００２６】
このとき、隅当板２の側縁が箱Ｂの開口縁に当接して摺動し、これに伴い、底板１から隅当板２が立ち上がり、保持片３が谷折線３ａを中心に内側へ折れ曲がって、照明器具Ｌの両側部が保持片３と底板１との隙間に嵌り込み、また、緩衝片５が押し込まれるように屈曲し、照明器具Ｌの外周部を受け止める。
【００２７】
最後に、箱ＢのフラップＦを閉じると、包装作業が完了し、照明器具Ｌを包装状態で輸送し、また、保管しておくことができるようになる。
【００２８】
上記のように、緩衝材Ｐを使用して照明器具Ｌを包装すると、箱Ｂを傾けた状態で、照明器具Ｌを斜め上方から箱Ｂに挿入する際、照明器具Ｌが隅当板２及び保持片３で保持され、器具固定片４で固定されているので、人手で支えておかなくても、緩衝材Ｐからの照明器具Ｌの脱落が防止され、包装作業を容易に行なうことができる。
【００２９】
また、図１に示すように、箱Ｂを平置きにした状態で輸送する際、照明器具Ｌは、周囲が隅当板２に当接し、上方から保持片３により抑えられているので、セードＳの跳ね上がりが阻止され、箱Ｂが内側から保持片３で補強されて、セードＳの損傷が防止される。
【００３０】
さらに、図６及び図５に示すように、箱Ｂを傾けた状態で、照明器具Ｌを箱Ｂから取り出す際にも、照明器具Ｌが保持片３及び器具固定片４で保持されているので、緩衝材Ｐからの照明器具Ｌの脱落が防止され、取出作業を容易に行うことができる。
【００３１】
なお、上記実施形態では、隅当板２及び保持片３を底板１の両側に対向して２組設けたものを例示したが、これらは、包装する物品の形状や包装形態に応じて、底板１の周囲に１組又は３組以上設けてもよい。
【００３２】
また、保持片３の中央部に谷折線３ａを１本のみ入れたものを例示したが、複数本の谷折線３ａを、保持片３の中間部の適宜箇所に入れてもよい。
【符号の説明】
【００３３】
Ｐ  緩衝材
１  底板
１ａ  山折線
１ｂ  段部
２  隅当板
３  保持片
３ａ  谷折線
３ｂ，３ｃ  折目線
４  器具固定片
４ａ  山折線
４ｂ  谷折線
４ｃ  先折部
４ｄ  係止片
５  緩衝片
５ａ  山折線
５ｂ  谷折線
６  取手穴
６ａ  指当片
Ｂ  箱
Ｆ  フラップ
Ｌ  照明器具
Ｍ  器具本体
Ｓ  セード
【図１】
2011006091.tif 000003
【図２】
2011006091.tif 000004
【図３】
2011006091.tif 000005
【図４】
2011006091.tif 000006
【図５】
2011006091.tif 000007
【図６】
2011006091.tif 000008
【図７】
2011006091.tif 000009